(57)【特許請求の範囲】
【請求項１】
少なくとも天板と天板の両側から下方に延びる側板とからなり、上記両側板に垂直方向の長孔を設けるとともに、この長孔の上端からＬなる位置に上記長孔の上端を軸にしてＬなる半径で湾曲した長孔を後方に向けて連通状に設けた固定フレームと、天板と天板の両側から下方に延びる側板とからなり、この側板の内面が上記固定フレームの側板の外面に向き合うように被嵌した揺動フレームと、上記揺動フレームの側板の片方から上記固定フレームの長孔を通り抜けて他方の側板に向けてＬなる間隔をもって貫通させた二本のステーと、下側のステーから固定フレームの天板に掛け渡されたスプリングとからなる福祉用椅子。
【請求項２】
少なくとも天板と天板の両側から下方に延びる側板とからなり、上記両側板に垂直方向の長孔を設け、上記長孔の下端からＬなる垂直位置を始点とし、上記長孔の下端に仮想軸を置き、該仮想軸を上昇させながらＬなる半径で仮想振り子を振り上げたときにできる軌跡に沿った湾曲長孔を設けた固定フレームと、天板と天板の両側から下方に延びる側板とからなり、この側板の内面が上記固定フレームの側板の外面に向き合うように被嵌した揺動フレームと、上記揺動フレーム側板の片方から上記固定フレームの垂直長孔と湾曲長孔とを通り抜けて他方の側板に向けてＬなる間隔をもって貫通させた二本のステーと、下側のステーから固定フレームの天板に掛け渡されたスプリングとからなる福祉用椅子。
【請求項３】
上記ステーに代えて揺動フレームの側板に、上記固定フレームの長孔を通過する短軸を立設し、下側の短軸から固定フレームの天板にスプリングを掛け渡してなる請求項１に記載の福祉用椅子。
【請求項４】
上記ステーまたは短軸の内、少なくとも下側のステーまたは短軸の長孔と接する部分にローラーを嵌めてなる請求項１または２に記載の福祉用椅子。
【請求項５】
上記垂直方向の長孔の全長からＬを減じた長さを揺動フレームが下降する区間にダンパーを介在させてなる請求項１乃至３のいずれかに記載の福祉用椅子。
【発明の詳細な説明】
【０００１】
【発明の属する技術分野】
この発明は、椅子に腰を掛けたり、立ち上がろうとするときの筋力を補う機構を持った福祉用椅子に関する。
【０００２】
【従来の技術】
市販されている福祉用椅子は、モーターの駆動により腰掛け部分が上昇したり、上昇しながら前方向に傾斜してたちあがるのを介添えするものであり、逆に、座るときは上昇した状態または上昇し、かつ、前方向に傾斜した状態から上記動作の逆に動作するものである。
【０００３】
【発明が解決しようとする課題】
上記福祉用椅子は、モーターで駆動するものであるため、構造が複雑で高価なものとなっていることから、構造が簡単で安価に入手することができる福祉用椅子が求められている。
【０００４】
この発明は上記要求に基づき、モーターの駆動に頼らず、機構が簡単で故障が少なく、安価な福祉用椅子を提供しようとするものである。
【０００５】
【課題を解決するための手段】
上記課題を解決するためにこの発明は、少なくとも天板と天板の両側から下方に延びる側板とからなり、上記両側板に垂直方向の長孔を設けるとともに、この長孔の上端からＬなる位置に上記長孔の上端を軸にしてＬなる半径で湾曲した長孔を後方に向けて連通状に設けた固定フレームと、天板と天板の両側から下方に延びる側板とからなり、上記固定フレームの側板の外面と上記揺動フレームの側板の内面が向き合うように被嵌した揺動フレームと、上記揺動フレーム側板の片方から上記固定フレームの長孔を通り抜けて他方の側板に向けてＬなる間隔をもって貫通させた二本のステーと、下側のステーから固定フレームの天板に掛け渡されたスプリングとからなる構成としたものである。
【０００６】
また、少なくとも天板と天板の両側から下方に延びる側板とからなり、上記両側板に垂直方向の長孔を設け、上記長孔の下端からＬなる垂直位置を始点とし、上記長孔の下端に仮想軸を置き、該仮想軸を上昇させながらＬなる半径で仮想振り子を振り上げたときにできる軌跡に沿った湾曲長孔を設けた固定フレームと、天板と天板の両側から下方に延びる側板とからなり、この側板の内面が上記固定フレームの側板の外面に向き合うように被嵌した揺動フレームと、上記揺動フレーム側板の片方から上記固定フレームの垂直長孔と湾曲長孔とを通り抜けて他方の側板に向けてＬなる間隔をもって貫通させた二本のステーと、下側のステーから固定フレームの天板に掛け渡されたスプリングとからなる構成としたものである。
【０００７】
また、上記ステーに代えて揺動フレームの側板から上記長孔を通過する短軸を立設し、下側の短軸から固定フレームの天板にスプリングを掛け渡してなる構成とすることができる。
【０００８】
また、必要ならば上記ステーまたは短軸の内、少なくとも下側のステーまたは短軸の長孔と接する部分にローラーを嵌めたり、上記垂直方向の長孔の全長からＬを減じた長さを揺動フレームが下降する区間にダンパーを介在させることもできる。
【０００９】
上記の如く構成することによって、椅子から立ち上がろうとすると座が上方に持ち上がり、次の段階で座が前方に傾くので身体か押し出される。また腰を掛けようとするときは、座に腰を当てると座が水平になり、次の段階ではダンパーが作用して徐々に座が下降する。
【００１０】
【発明の実施の形態】
次に、この発明に係る実施形態を図面を参照しながら説明する。図１において天板１とその両端から下方に延びる側板２と前板３とからなる固定フレーム４の側板２には垂直長孔５が設けられ、この垂直長孔５の上端から長さＬの位置に半径Ｌの湾曲長孔６が後方に延びている。
【００１１】
上記固定フレーム４には、天板７と側板８とからなる揺動フレーム９が被さっており、上記長孔５を通り抜けるように長さＬの間隔をもってステー１０，１１が取り付けられ、下側のステー１１から固定フレーム４の天板１にスプリング１２が掛け渡され、揺動フレーム９の天板７には背もたれ１４を有する椅子１３が取り付けられている。なお、固定フレーム４の下端には取り付け片１５が左右に延び、ボルト１６により床面に取り付けられている。
【００１２】
次に、上記福祉用椅子の動作を図２を参照しながら説明する。座った状態では図２（ａ）のようになっている。この状態からから立ち上がろうとするとスプリング１２の付勢力によって図２（ｂ）の鎖線のように揺動フレーム９が上昇し、上側ステー１０が垂直長孔５の上端に突き当たると斜めに掛け渡されたスプリング１２の付勢力により下側ステー１１が湾曲長孔６の端に向けて移動し図２（ｂ）の実線のように変移する。
【００１３】
逆に、座るときはお尻を椅子１３に乗せ始めると椅子１３は図２（ｂ）の鎖線のように移動し下側ステー１１は垂直長孔５に移動する。次いで上下のステー１０，１１がともに下降し図２（ａ）の状態となる。
【００１４】
図３は、図２（ｂ）の鎖線の状態から図２（ａ）の状態に椅子１３が下降する速さを緩めるためにエアーダンパー１７を設置したものを示す。このようにすると座るときの動作が円滑になる。
【００１５】
また、図１、図２では、揺動フレーム９の両側板８にステー１０，１１を貫通させているが、ステーに代えて図４のように揺動フレーム９の側板８から固定フレーム４の長孔５，６を通り抜ける短軸１８を立設し、ワッシャー１９を介してカシメ止２０することもできる。このとき短軸１８と長孔５，６とが接する部分にローラー２１を介在させると揺動フレーム９の動作が円滑になる。なお、上記ローラー２１の介在はステーの場合も適用でる。
【００１６】
上記のようにステー１０，１１に代えて短軸１８を立設することにより、固定フレーム４の懐には邪魔物がなくなるので、図５のように固定フレーム４の天板１に貫通孔２２を設け揺動フレーム９の天板７とブラケット２３との間にエアーダンパー１７を設置することができる。
【００１７】
上記実施形態では、揺動フレーム（腰掛け）は一旦上昇した後、腰掛けが前方に押し出すように運動するが、図６に示す実施形態は、上昇する運動と前方に押し出す運動が同時に進行するようにしたものである。
【００１８】
即ち、固定フレーム４の側板２には垂直長孔５’と湾曲長孔６’とが設けられている。上記湾曲長孔６’は、垂直長孔５’の下端からＬなる垂直位置を始点とし、上記垂直長孔５’の下端に仮想軸を置き、この仮想軸を垂直長孔５’の上端に向けて上昇させながらＬなる半径で仮想振り子を後方に振り上げたときに描かれる曲線上に形成したものである。
【００１９】
揺動フレーム９は、天板７と天板の両側から下方に延びる側板８とからなり、この側板８の内面と上記固定フレーム４の外面とが向き合うように固定フレーム４に被せられ、上記揺動フレームの９側板８の片方から上記固定フレーム４の垂直長孔５’と湾曲長孔６’のそれぞれを経て他方の側板８に向けて二本のステー１０，１１をＬなる間隔をもって貫通させ、下側のステー１１から固定フレーム４の天板１にスプリング１２が掛け渡されている。
【００２０】
なお、この実施形態においても図３のようにエアーダンパーを設けることができる。また、図４のようにステーに替えて短軸とし、図５のようにエアーダンパー設けることができる。
【００２１】
上記実施形態では、座った状態から立ち上がろうとするとスプリングの付勢力によりステー１１が湾曲長孔にそって上昇し、椅子１３は一点鎖線から二点鎖線のように前方に押し出すようにしながら上昇する。
【００２２】
【発明の効果】
以上説明した通りこの発明によれば、機構が簡単で故障も少なく安価に福祉用椅子を提供することができる。
【図面の簡単な説明】
【図１】この発明の福祉用椅子に係る実施形態の斜視図
【図２】動作説明図
【図３】ダンパーの設置図
【図４】ステーに代えて短軸とした部分拡大図
【図５】短軸としたときのダンパーの設置図
【図６】別の実施形態の動作説明図
【符号の説明】
１  天板（固定フレームの）
２  側板（固定フレームの）
３  前板
４  固定フレーム
５，５’  垂直長孔
６，６’  湾曲長孔
７  天板（揺動フレームの）
８  側板（揺動フレームの）
９  揺動フレームの
１０  上側ステー
１１  下側ステー
１２  スプリング
１３  椅子
１４  背もたれ
１５  取付け片
１６  ボルト
１７  エアーダンパー
１８  短軸
１９  ワッシャー
２０  カシメ止め
２１  ローラー
２２  貫通孔
２３  ブラケット
【図１】
0003545243.tif 000002
【図２】
0003545243.tif 000003
【図３】
0003545243.tif 000004
【図４】
0003545243.tif 000005
【図５】
0003545243.tif 000006
【図６】
0003545243.tif 000007